(57)【特許請求の範囲】
【請求項１】
矩形状を成し、互いに向かい合う上下端縁と互いに向かい合う両側縁とが形成されている少なくとも一つのプレゼンテーション面を有し、かなり堅固で折り畳み可能な素材の少なくとも一つのシートと、
前記プレゼンテーション面の裏側に配され、前記プレゼンテーション面の横幅より狭い横幅の保持帯と、
前記プレゼンテーション面を、該プレゼンテーション面の前記両側縁を端部として円弧状に強制的に変形させて、該ブレゼンテーション面の両側縁と、前記保持帯の両側縁とを接触させる弾性部材と、
を備え、
前記シートは、前記プレゼンテーション面の両側縁のうち、一方の側縁に沿って、該プレゼンテーション面から裏側に折られた保持帯当接片部を有し、
前記保持帯の両側縁のうちの一方の側縁を、前記弾性部材の弾性力により、前記プレゼンテーション面に対する前記保持帯当接片部の折り返し部分に当接させていることを特徴とする、情報表示体。
【請求項２】
請求項１に記載の情報表示体において、
前記保持帯として、前記プレゼンテーション面の前記上端縁から前記下端縁の方向に離間配置されている複数の保持帯を有し、
前記シートには、複数の保持体の間に相当する位置に折り返し線が形成されていることを特徴とする、情報表示体。
【請求項３】
請求項１に記載の情報表示体において、
前記シートは、前記プレゼンテーション面の前記一方の側縁と反対側の他方の側片に沿って、該プレゼンテーション面から裏側に折り返された保持帯連結片部を有し、
前記保持帯の前記一方の側縁と反対側の他方の側縁は、前記保持帯連結片部に連結されていることを特徴とする、情報表示体。
【請求項４】
請求項１から３のいずれか一項に記載の情報表示体において、
前記シートは、標準フォーマットのシートの半分に略等しい幅を有するシートであり、単一のプレゼンテーション面を備えることを特徴とする、情報表示体。
【請求項５】
請求項１から３のいずれか一項に記載の情報表示体において、
前記プレゼンテーション面として、二つのプレゼンテーション面を有し、各プレゼンテーション面のサイズは、標準フォーマットのシートを二枚に切ったサイズであることを特徴とする、情報表示体。
【請求項６】
請求項３に記載の情報表示体において、
前記プレゼンテーション面として、二つのプレゼンテーション面を有し、
前記保持帯の前記一方の側縁は、前記弾性部材の弾性力により、各プレゼンテーション面に対する各保持帯当接片部の折り返し部分に当接しており、該保持帯の前記他方の側縁は、各プレゼンテーション面に対する各保持帯連結片部に連結されていることを特徴とする、情報表示体。
【請求項７】
請求項３に記載の情報表示体において、
前記シートとして、それぞれが前記プレゼンテーション面を有する２枚のシートを有し、
２枚の前記シートのそれぞれの前記保持帯連結片部には、該保持帯連結片部から折り込まれた連結端を有し、
２枚の前記シートのうちの一方のシートの前記保持帯当接片部と、他方のシートの前記保持帯当接片部とが接し、
２枚の前記シートのうちの一方のシートの前記保持帯連結片部から折り込まれた前記連結端と、他方のシートの前記保持帯連結片部から折り込まれた前記連結端とが接し、
前記保持帯の前記一方の側縁は、前記弾性部材の弾性力により、前記プレゼンテーション面に対する各保持帯当接片部の折り返し部分に当接しており、該保持帯の前記他方の側縁は、前記プレゼンテーション面に対する保持帯連結片部に連結されていることを特徴とする、情報表示体。
【請求項８】
請求項７に記載の情報表示体において、
２枚の前記シートのうちの一方のシートの前記保持帯連結片部と他方のシートの前記保持帯連結片部とで、結合プレゼンテーション面を形成することを特徴とする、情報表示体。
【請求項９】
請求項３に記載の情報表示体において、
前記プレゼンテーション面として、複数のプレゼンテーション面を備え、
隣り合うプレゼンテーション面のうちの一方のプレゼンテーション面からの前記保持帯連結片部と、他方のプレゼンテーション面からの前記保持帯連結片部とは、共に、前記保持帯の横方向の前記一端に連結されていることを特徴とする、情報表示体。
【発明の詳細な説明】
【０００１】
【発明の開示】
本発明に係る情報表示体は、
矩形状を成し、互いに向かい合う上下端縁と互いに向かい合う両側縁とが形成されている少なくとも一つのプレゼンテーション面(11)を有し、かなり堅固で折り畳み可能な素材の少なくとも一つのシートと、
前記プレゼンテーション面の裏側に配され、前記プレゼンテーション面の横幅より狭い横幅の保持帯(9)と、
前記プレゼンテーション面を、該プレゼンテーション面の前記両側縁を端部として円弧状に強制的に変形させて、該ブレゼンテーション面の両側縁と、前記保持帯の両側縁とを接触させる弾性部材(10)と、
を備え、
前記シートは、前記プレゼンテーション面(11)の両側縁のうち、一方の側縁に沿って、該プレゼンテーション面(11)から裏側に折られた保持帯当接片部(5)を有し、
前記保持帯(9)の両側縁のうちの一方の側縁を、前記弾性部材(10)の弾性力により、前記プレゼンテーション面(11)に対する前記保持帯当接片部(5)の折り返し部分に当接させていることを特徴とする、ものである。
【０００２】
【発明の背景】
この種の情報表示体は、文書ＦＲ  ２  ７６０  ８８０およびＦＲ  ２  ７９５  ２１７に記載されている。これらのディスプレイ支持体においては、プレゼンテーション面を凸状に保つために、このプレゼンテーション面の横幅よりも短い横幅の横方向保持帯を有している。この情報表示体は、この情報表示体を形成するシートの左側部分の全体をプレゼンテーション面とした場合、右側部分のほぼ全体を横方向保持帯にしている。従って、プレゼンテーション面の縦幅と横方向保持帯の縦幅とは、基本的に同じである。
【０００３】
以上の従来技術の支持体は、実用的である一方、二つの欠点を有する。
【０００４】
横方向保持帯の大部分は、無駄になる。
【０００５】
また、これらの情報表示体を形成するシートのフォーマットは、制限される。
【０００６】
大きい幅（すなわち５０ｃｍ）の二つのプレゼンテーション面を有する支持体で、シートの全幅が１２０ｃｍである場合、二枚のシートにすることが必要であり、すなわち二枚の切り取りおよび二度の印刷工程が必要となる。これは明らかに費用がかかる。
【０００７】
また、単純な例として、幅１２０ｃｍのシート一枚から５０ｃｍ幅の二つのプレゼンテーション面を有する情報表示体を作る場合、横方向支持帯として２０ｃｍしか残らないことは問題である。
【０００８】
本発明は、これらの問題点を解決することを意図する。
【０００９】
【発明の開示】
本発明に係る情報表示体は、
少なくとも一つのプレゼンテーション面（１１）を有し、かなり堅固で折り畳み可能な素材の少なくとも一つのシートと、
前記シートの前記プレゼンテーション面（１１）を凸形に変形させるための強制変形手段（１０）と、
前記強制変形手段に対向した位置に配置され、プレゼンテーション面（１１）を凸形に維持するための保持手段（９）と、
を備え、
前記レゼンテーション面（１１）を凸形に維持するための前記保持手段（９）は、該プレゼンテーション面（１１）の裏側に沿い、且つシートを凸形に変形させる方向に対して垂直な方向に離散して分配されることを特徴とする、ものである。
【００１０】
以上の情報表示体は、凸形に変形させたプレゼンテーション面を平らにすれば、簡単に折り畳むことができる。折り畳まれた情報表示体は、強制変形手段の作用により、自動的に開放されるので、情報表示体を開放するためにはその開始をすれば十分である。
【００１１】
つまり、本発明の情報表示体は、折り畳んだり、自動的に開いたりすることができる柱であって、優れた状態での運搬や保管に都合がよく、一方、瞬時に現場に設置することが可能である。
【００１２】
また、前記保持帯(9)は、該プレゼンテーション面(11)の裏側に沿い、且つシートを凸形に変形させる方向に対して垂直な方向、つまり縦方向に離散して分配されるので、従来技術のように、プレゼンテーション面の縦幅と同じ長さを縦幅を有する横方向保持帯と異なり、断続的に保持作用を与えつつ、ある程度の保持レベルを生成できる。従って、大部分のシートのエリアを確保することが可能である。
【００１５】
情報表示体が一つのプレゼンテーション面を有する場合は、プレゼンテーション面のシートは、実質的に、標準フォーマットであるシートの半分の幅を有する。このため、生産費用は、粗く見積もって二倍削減できる。
【００１６】
二つの凸形のプレゼンテーション面を有する情報表示体の場合は、二枚のシートが提供され、これらはそれぞれ同じサイズのプレゼンテーション面を有し、一枚の同じ標準フォーマットのシートから切り取られる。
【００１７】
この対応策は、シートの素材が塑性変形しないという事実のため、折り畳むのが非常に困難である、二つのプレゼンテーション面を有する単一の標準シートによる対応策より有利である。
【００１８】
後者の場合、各プレゼンテーション面の折り込まれた各保持帯当接片部に対して当接され、二つのプレゼンテーション面の二つの保持帯連結片部各々に連結した、一連の保持帯を提供することが可能である。
【００１９】
変形例として、情報表示体は、二つの凸形のプレゼンテーション面と一連の保持帯を含むことができる。この一連の保持帯は、各プレゼンテーション面の折り込まれた各保持帯当接片部に対して当接され、プレゼンテーション面を伸ばした標準フォーマットのシートの折り込まれた部分の二つの保持帯連結片部各々に連結している。
【００２０】
本発明の情報表示体は、一般に、以下を含むことができる：複数のプレゼンテーション面であって、各プレゼンテーション面は保持帯の連結のための保持帯連結片部と、強制変形手段の作用下で、保持帯に当接する保持帯当接片部と、を有し、プレゼンテーション面の保持帯連結片部は、隣接するプレゼンテーション面の保持帯連結片部又は保持帯当接片部に連結されている。
【００２１】
このように、プレゼンテーション面は、保持帯連結片部によって、一対に連結されている。
【００２２】
【発明の実施の形態】
以下、添付の図面を参照して、以下のディスプレイユニット支持体に関するいくつかの実施形態の記載をもとに本発明がより理解できるよう説明する。
【００２３】
まず、図１を参照して、第一の実施形態について説明する。
【００２４】
図１における情報表示体は、展開されている垂直な柱状のものであるが、一枚のシート（ここではボール紙により構成される）から形成されているパネル２を、太線で示す折り線３に沿って、折り畳むことが可能である。ここでは、４枚のパネル２が直線状に並んでおり、各パネル２の相互間に折り線３が形成されている。全てのパネル２は、互いに同一である。支持柱のプレゼンテーション面１１を構成するのは、パネル２の前面である。
【００２５】
各パネル２は、それぞれ、二つの縁により横方向に両側に伸ばされており、一つの縁は保持帯連結片部４、他方の縁は保持帯当接片部５となっている。各片部４，５の二つの縦方向の端部６，  ７は、折り線３でパネル２が互いに折り畳めるように、切り込みが入れられている。具体的には、パネル２から遠ざかるに連れて縦方向の幅が狭まるように、切り込みが入れられている。情報表示体が展開された状態において、片部４，５は、プレゼンテーション面１１の横方向端部１２，１３のあたりで、パネル２の背面８側に折り込まれる。
【００２６】
片部４，５は、それぞれ、保持帯９と連結し当接させるための機能を持つ。保持帯９は、パネル２が後述の弾性部材（強制変形手段）１０と協働して、プレゼンテーション面１１が凸形になるように作用する。
【００２７】
保持帯９は、この場合では比較的幅が広いが、柱の全体の高さに亘ってその作用を及ぼすわけではないことに留意すべきである。この作用は、プレゼンテーション面に沿い、且つ高さに対して、離散して分配されるように及ぼされる。
【００２８】
各保持帯９は、片側において、対応するパネル２の保持帯連結片部４に取り付けられ、他の側において、対応するパネル２の保持帯当接片部５に、弾性部材１０によって、引っ張られて当接される。
【００２９】
各保持帯９は、パネル２よりの横幅よりも長さが短い。これはプレゼンテーション面を確実に凸形にするためである。
【００３０】
パネル２の保持帯連結片部４は、ボタン穴タイプの二つのスリット１４，１５が形成されている。一方、保持帯９の連結端部１８には、横方向に突出した二つタブ１６，１７が形成されている。これによって、保持帯９のタブ１６，１７を保持帯連結片部４のスリット１４，１５に差し込むことで、パネル２の保持帯連結片部４と保持帯９とが連結される。弾性部材１０を保持するためカットアウト２０は、保持帯９の当接端部１９の近くに形成されている。このカットアウト２０は、長楕円形で、この長楕円形の外形線であって、向かい合う縦線のうち、一方の縦線が折れ線を成し、残りの外形線が切り抜かれることで、形成されている。また、パネル２の保持帯当接片部５にもカットアウト２１が形成されている。このカットアウト２１は、三日月形で、この三日月形の外形線であって、弦部分が折れ線を成し、残りの円弧部分が切り抜かれて形成されている。弾性部材１０は、例えば、リング状のゴムで形成されており、この弾性部材１０を保持帯９のカットアウト２０と保持帯当接片部５のカットアウト２１とに引っ掛けて、保持帯９の当接端部９をパネル２の保持帯当接片部５に近づけて突き当てる。この結果、前述したように、保持帯９がパネル２の横幅より短いため、パネル２のプレゼンテーション面が凸形になる。
【００３１】
開かれた、または展開された図１の状態から、各々の保持帯９を互いに重ねてパネル２をたたみ、ディスプレイユニット支持体を折り畳むことが可能である。
【００３２】
このために、弾性部材１０を強制的に引き伸ばして、つまり、弾性部材として保持帯当接片部５を引き寄せる機能を無くて、保持帯９の当接端部１９を保持帯当接片部５から離し、パネル２を平らにする。そうすると、パネル２は、折畳式に面が代わる代わる重なるように折線３のところで各々折り畳まれ、このように畳まれた組立物が維持される。このようにするための手段は、例えば、弾性部材など、いかなる適切な手段によってもよい。
【００３３】
折り畳まれたものの展開は、以下のように、さらに簡単に行われる。保持帯９の当接端部１９をプレゼンテーション面１１の保持帯当接片部５に近づけようとし、強制的に引き伸ばした弾性部材５を元の状態に戻し、つまり弾性部材５を機能させることで、平坦であったプレゼンテーション面１１が凸形に変形して、この組立物は折り畳まれたものが広がり、図１の柱状の形態をとるように展開される。
【００３４】
パネル２は、その下部に湾曲している支持端部２２を有し、パネル２を凸形にすることにより、下方縁４，５の切り込みが入っていない下部端とともに、このパネル２が支持脚としての機能を満たすようにしていることに留意されたい。
【００３５】
しかしながら、実際にはこのような支持脚は、例えば上記の従来の文書に記載されているように、予想しえたものであった可能性はある。
【００３６】
先程説明をした、単一のプレゼンテーション面１１のみを有するディスプレイ支持体のシートは、標準フォーマットの略半分に等しい幅を有する。
【００３７】
次に、図２〜図４を参照して、第二の実施形態について説明する。
【００３８】
図２のシートは、第一の実施形態のように、折線１０３，２０３のいずれかの側に二枚一組のパネル１０２，２０２のを備えた、二つのプレゼンテーション面１１１，２１１を有する情報表示体を作成することを意図する。使用するのは、標準フォーマットのシートであり、最初の状態のシートの縦方向の中央線３０に沿って予め線をつけた後、二つのシート３１，３２に切り取る。
【００３９】
中央線３０のところで、切り込みが入った縁１３４，２３４について予め切れ目が入っており、図１の実施形態のように、これらの縁は、面１１１および２１１の横方向端１１２および２１２のところで折り込まれる。切り目は、菱形の押抜き３３によって、作られる。
【００４０】
保持帯３９（図４）を連結するため、保持帯連結片部１３４に、パネルの横方向連結端１１２，２１２に沿って、連結スリット１１４，２１４が形成されている。この連結スリットは、図１の単一面の実施形態のボタン穴タイプのスリット１４，１５に相当するものである。
【００４１】
切込みが入った保持帯当接片部１３５，２３５が、保持帯連結片部１３４，２３４とは反対の横方向に予め作られる。この保持帯当接片部１３５，２３５は、面１１１，２１１の横方向端１１３，２１３のところで折り込まれる。弓形の一部の形状をした二つの切込み３２１，３２２は、弾性部材１１０（図４）を維持するために、保持帯当接片部１３５，２３５の横方向端３６から始まって形成されている。
【００４２】
この第２の実施形態の保持帯３９（図３）は、第一の実施形態のものとはかなり異なる。第１に、この保持帯３９はかなり幅が狭い。第２に、その連結端部１１８および当接端部１１９は、接合スリット１１４，２１４の中に挿入できるように可倒式の構成要素を含む。さらに、当接端部１１９は、もっと適切な形で、弾性部材１１０の強制的な働きに対向する接合機能を果たす。
【００４３】
各保持帯３９の連結端部１１８は、保持バー４０を備える。この保持バー４０は、保持帯３９の本体の長手方向に対して垂直であり、保持帯３９の縦方向縁４１，４２とともに二つの内側保持肩を形成する。保持バー４０は、保持帯３９をパネルに取り付けるため、縦方向縁４１，４２で折り返しできる二つの小さな羽４３，４４に亘る外側保持肩と協働する。これにより、保持バー４０と羽４３，４４との間に、二つのプレゼンテーション面１１１，２１１の二つの保持帯連結片部１３４，２３４を挟み込むことができる（図４）。これは、二つの羽４３，４４を一旦畳んで、対応する連結スリット１１４，２１４に保持バー４０を通した後に、羽４３，４４を展開させることにより実現できる。
【００４４】
各保持帯３９の当接端部１１９は、縦方向縁４１，４２のところで下に折り込まれる二つの小さなフラップ４５，４６を有する。これは、連結する弾性部材１１０（図４）を通し維持するためのものである。この弾性部材１１０は、各フラップ４５，４６の前方部分４７と後方部分４８の間に保持され、前方部分４７の下、後方部分４８の上を滑らせる。
【００４５】
保持帯３９の当接端部１１９の手前のところには、弾性部材１１０を保持するための円弧形の切込み４９が形成されている。
【００４６】
弾性部材１１０は、保持帯３９とフラップ４５，４６の前方部分４７との間に位置し、保持帯３９の端１１９はある程度の厚みを有するので、二つのプレゼンテーション面１１１，１１２の折り込まれた保持帯当接片部１３５，２３５の端３６に接合するのに都合がよい。
【００４７】
図２〜４に示す第二の実施形態の情報表示体は、かなり容易に組立てることができる。
【００４８】
前述したように、先ず、保持帯３９の羽４３，４４を一旦折り畳んでから、保持バー４０を保持帯連結片部１３４，２３４の連結スリット１１４，２１４に挿入した後、羽４３，４４を開き、この羽４３，４４と保持バー４０との間に、保持帯連結片部１３４，２３４を挟み込む。このように、保持帯連結片部１３４，２３４が挟み込まれた２枚のシート３１，３２に、それぞれ折り込みを入れてから、各シート３１，３２に弾性部材１１０，１１０を取り付ける。具体的には、図３に示すように、パネル１０２の保持帯当接片部１３５に形成した切り込み３２１，３２２に弾性部材１１０を引っ掛けてから、この弾性部材１１０をフラップ４５，４６の前方部分４７の下に通し、さらにフラップ４５，４６の後方部分４８の上を通す。そして、保持帯３９の切り込み４２に弾性部材１１０を引っ掛ける。これにより、保持帯３９の当接端部１１９が、保持帯当接片部１３５の端３６にぶつかるまで引っ張られ、プレゼンテーション面１１１，１１２が凸形になる。これは、保持帯３９の長さがプレゼンテーション面１１１，１１２の横幅よりも短いからである。
【００４９】
次に、図５を参照して、第三の実施形態について説明する。
【００５０】
図５の支持体は、図２〜４の支持体に以下の意味において、非常に類似している。特に、図５の支持体は、弾性部材の作用により凸形にすることを意図した二つの個別のプレゼンテーション面３１１，３１２を有する。ここでは、弾性部材は示されていないが、弾性部材を有し、これが弾性部材１１０として同じ機能を果たしている。この場合は保持帯３９に非常に似ている。このシートは、プレゼンテーション面の他、二つの保持帯連結片部３０２，４０２（前述の保持帯連結片部１３４，２３４と同じものである）と二つの保持帯当接片部３３５，４３５（前述の保持帯当接片部縁１３５，２３５と同じものである）を有している。
【００５１】
一方、図５の支持体は、二つの個々の情報プレゼンテーション面３１１，３１２が従来技術の幅からなるという事実によって、第二の実施形態と異なっている。これはそれぞれ、標準フォーマット３０１，４０１の二つのシートを用い、各々がプレゼンテーション面に相当する第一の部分、およびプレゼンテーション面を延長する第二の部分３０２，４０２、つまり、前述の二つの保持帯連結片部３０２，４０２を有する。この保持帯連結片部３０２，４０２には、この端部から連結端３３４，４３４が形成されている。第二の部分３０２，４０２は、結合プレゼンテーション面と呼ばれる第三のプレゼンテーション面３１３を形成し、第二系の応力ワイヤ３１０の作用によって、折られたパネル５０２，６０２の各レベルにおいて、三点（二つの接点３０３，４０３上の点ａとｂおよび保持帯３３９上の点ｃ）により固定され、引っ張られた状態を維持している。
【００５２】
ワイヤ３１０は、プラスチック製でもよい。また、ワイヤの代わりに、ストリップ（帯）を使用してもよい。
【００５３】
各シートの保持帯当接片部３３５，４３５相互は接続され、各シートの連結端３３４，４３４相互も接続される。
【図面の簡単な説明】
【図１】第一の実施形態における情報表示体の背面図である。
【図２】第二の実施形態における情報表示体を形成するシートの展開平面図である。
【図３】第二の実施形態における保持帯の平面図である。
【図４】第二の実施形態における情報表示体の背面からの部分拡大斜視図である。
【図５】第三の実施形態における情報表示体の部分的に透視した斜視図である。
【図１】
0003605602.tif 000002
【図２】
0003605602.tif 000003
【図３】
0003605602.tif 000004
【図４】
0003605602.tif 000005
【図５】
0003605602.tif 000006